(57)【要約】      （修正有）【課題】屋根部ルーバーの角度を自由に調整することによって、雨や夏場の陽射しを制限したり、冬場は、木漏れ日を取り入れたりという、天候、季節に順応させ利用者に良好な環境を提供する為の休憩施設の構造に関する。【解決手段】手動若しくは工具あるいは自動装置によって、屋根部ルーバーの角度を目的に応じて調整する。日差し、通気を取り込むときは、ルーバー角度を縦にルーバー同士に空間があくように調整し、日差し、降雨を遮蔽したいときは、ルーバー角度を横に、ルーバー同士に空間があかないように調整する。【選択図】図４
0003142702.tif 000002
【実用新案登録請求の範囲】
【請求項１】
陽射しや通気等を取り入れたい時、屋根部ルーバーを立てることによって開放でき、又、陽射しや通気、雨風等を制限したい時は、屋根部ルーバーを閉じることによって調整できる構造を持ち合わせた休憩施設。
【考案の詳細な説明】
【考案の詳細な説明】
【技術分野】
【０００１】本考案は、屋根部ルーバーの角度を自由に調整することによって、雨や夏場の陽射しを制限したり、冬場は、木漏れ日を取り入れたりという、天候、季節に順応させ利用者に良好な環境を提供する為の休憩施設に関するものです。
【背景技術】
【０００２】従来、公園等に設置してある休憩施設は、固定型ルーバーのパーゴラや藤棚、雨等の浸入を防ぐ目的を持たない休憩施設または、完全に屋根をかけた四阿やシェルターに大別されており、目的が制限されるため、全天候対応型とは言えなかった。
具体的に  従来の休憩施設では、
１  ▲１▼固定型ルーバーのパーゴラや藤棚、雨等の浸入を防ぐ目的を持たない休憩施設（図９）
▲２▼完全に屋根をかけた四阿やシェルター（図１０）に大別されており、
▲１▼のパーゴラや休憩施設においては（図１１）、雨をしのげず、夏場の陽射しも制限できるものでは、なかった（図１２）。藤棚においては、陽射しは、ある程度、制限できるが、ふじ（植物）や、ふじにむらがる蜂等の管理上の問題が発生していた。
▲２▼においては、雨風制限するものである為（図１３）、設置場所によっては、不労者のたまりになりやすく（図１４）、周辺環境の阻害といった問題を抱えている地域もあった。
また、陽射しを年中、制限するものである為、冬場は、寒く（図１５）、一般利用者にとって、良好な環境とは、言えないものであった。
２  また、防災公園等に設置してあるパーゴラや雨等の浸入を防ぐ目的を持たない休憩施設においては（図１１、１６）、非常時（災害時）、一時避難所や医療救援物資の保管場所等を目的とし、屋根部あるいは、側面にテント等を設営することによって、防災施設機能をより高めているものがある（図１７）。従来、その屋根部テント等の設営において、
・  脚立等を利用して、屋根部に乗り高所作業となるため、落下事故等の懸念が持たれている（図１８）。
・  屋根部に乗らず、地上から設営ができるタイプもあるが、作業工程上、テント生地を破損する可能性が高い（図１９）。
・  屋根面積や高さ、形状の複雑さに比例して、テント等を設営するための作業人数が必要となり、非常時（災害時）にも係らず、作業時間がかかり過ぎてしまう（図２０）。
・  ロール状に収納したテントを非常時（災害時）、手動若しくは、工具、あるいは、自動の装置を使い、引き出して設営するタイプもあるが（図２１、２２）、利用頻度が少ないと、テント生地同士が、くっ付いてしまって作業性が低下したり、収納に際しても、生地に皺が入らないように留意しなければならない。
等の問題点を抱えていた。
【考案が解決しようとする課題】
【０００３】  本発明は、これらの問題点を解決するために考案されたものである。
【課題を解決する為の手段】
【０００４】１  手動若しくは工具あるいは自動装置によって、屋根部ルーバー（桟）の角度を目的に応じて調整する。日差し、通気を取り込むときは、ルーバー角度を縦に（ルーバー同士に空間があくように）調整し、日差し、降雨を遮蔽したいときは、ルーバー角度を横に（ルーバー同士に空間があかないように）調整する。（図面１〜８）
本考案は、以上の構成よりなる、全天候対応型屋根部を含む休憩施設である。
【考案を実施するための最良の形態】
【０００５】  本案は、
１  風雨等の浸入を防ぐため、主要構造部であるルーバーの形状を遮蔽時に隙間を最小限にとどめ、かつ雨漏りが、し難いように返しをつけた断面形状にする。（図４の符号１）
２  円滑および迅速にルーバーの開閉を行うためにギアーとチェーン、ワイヤー等を組み合わせた構造にする。（図４の符号２，図５の符号３）
設営方法を下記に記す。【０００６】なお、本考案の実施に当たって次の如きことができる。
イ  風雨、冷気を凌ぎたい時は、屋根部ルーバーを閉じることによって、最適な環境を作ることができる。
ロ  木漏れ日、通気を入れたい時は、屋根部ルーバーを開放することによって、最適な環境を作ることができる。
【考案の効果】
【０００７】したがって、季節や天候に応じて、休憩施設内で良好な環境を作ることができる。
【図面の簡単な説明】
【図１】本考案の立面図
【図２】本考案の断面図
【図３】本考案の平面図
【図４】本考案の実施例を示す断面図（開放時）
【図５】本考案の実施例を示す断面図（システム）
【図６】本考案の実施例を示す断面図（閉鎖時）
【図７】本考案の実施例を示す斜視図（開放時）
【図８】本考案の実施例を示す斜視図（閉鎖時）
【符号の説明】
１  風雨等の浸入を防ぐため、遮蔽時に隙間を最小限にとどめ、かつ雨漏りが、し難いように返しをつけた断面形状のルーバー。
２  ルーバーの開閉を行うためのフラットバー、チェーン、ワイヤー等への駆動部となるギアー。
３  ギアーからの動力をルーバーに伝えるフラットバー、チェーン、ワイヤー等。
４  屋根部のルーバーを開閉することによって、全天候対応とした機能性。
【図１】
0003142702.tif 000003
【図２】
0003142702.tif 000004
【図３】
0003142702.tif 000005
【図４】
0003142702.tif 000006
【図５】
0003142702.tif 000007
【図６】
0003142702.tif 000008
【図７】
0003142702.tif 000009
【図８】
0003142702.tif 000010
【図９】
0003142702.tif 000011
【図１０】
0003142702.tif 000012
【図１１】
0003142702.tif 000013
【図１２】
0003142702.tif 000014
【図１３】
0003142702.tif 000015
【図１４】
0003142702.tif 000016
【図１５】
0003142702.tif 000017
【図１６】
0003142702.tif 000018
【図１７】
0003142702.tif 000019
【図１８】
0003142702.tif 000020
【図１９】
0003142702.tif 000021
【図２０】
0003142702.tif 000022
【図２１】
0003142702.tif 000023
【図２２】
0003142702.tif 000024
【手続補正書】
【提出日】平成20年4月15日(2008.4.15)
【手続補正１】
【補正対象書類名】明細書
【補正対象項目名】全文
【補正方法】変更
【補正の内容】
【考案の詳細な説明】
【考案の詳細な説明】
【技術分野】
【０００１】本考案は、屋根部ルーバーの角度を自由に調整することによって、雨や夏場の陽射しを制限したり、冬場は、木漏れ日を取り入れたりという、天候、季節に順応させ利用者に良好な環境を提供する為の休憩施設に関するものです。
【背景技術】
【０００２】従来、公園等に設置してある休憩施設は、固定型ルーバーのパーゴラや藤棚、雨等の浸入を防ぐ目的を持たない休憩施設または、完全に屋根をかけた四阿やシェルターに大別されており、目的が制限されるため、全天候対応型とは言えなかった。
具体的に  従来の休憩施設では、
１  ▲１▼固定型ルーバーのパーゴラや藤棚、雨等の浸入を防ぐ目的を持たない休憩施設（図９）
▲２▼完全に屋根をかけた四阿やシェルター（図１０）
に大別されており、
▲１▼のパーゴラや休憩施設においては（図１１）、雨をしのげず、夏場の陽射しも制限できるものでは、なかった（図１２）。藤棚においては、陽射しは、ある程度、制限できるが、ふじ（植物）や、ふじにむらがる蜂等の管理上の問題が発生していた。
▲２▼においては、雨風制限するものである為（図１３）、設置場所によっては、不労者のたまりになりやすく（図１４）、周辺環境の阻害といった問題を抱えている地域もあった。
また、陽射しを年中、制限するものである為、冬場は、寒く（図１５）、一般利用者にとって、良好な環境とは、言えないものであった。
２  また、防災公園等に設置してあるパーゴラや雨等の浸入を防ぐ目的を持たない休憩施設においては（図１１、１６）、非常時（災害時）、一時避難所や医療救援物資の保管場所等を目的とし、屋根部あるいは、側面にテント等を設営することによって、防災施設機能をより高めているものがある（図１７）。従来、その屋根部テント等の設営において、
・脚立等を利用して、屋根部に乗り高所作業となるため、落下事故等の懸念が持たれている（図１８）。
・屋根部に乗らず、地上から設営ができるタイプもあるが、作業工程上、テント生地を破損する可能性が高い（図１９）。
・屋根面積や高さ、形状の複雑さに比例して、テント等を設営するための作業人数が必要となり、非常時（災害時）にも係らず、作業時間がかかり過ぎてしまう（図２０）。
・ロール状に収納したテントを非常時（災害時）、手動若しくは、工具、あるいは、自動の装置を使い、引き出して設営するタイプもあるが（図２１、２２）、利用頻度が少ないと、テント生地同士が、くっ付いてしまって作業性が低下したり、収納に際しても、生地に皺が入らないように留意しなければならない。
等の問題点を抱えていた。
【考案が解決しようとする課題】
【０００３】  本発明は、これらの問題点を解決するために考案されたものである。
【課題を解決する為の手段】
【０００４】１  手動若しくは工具あるいは自動装置によって、屋根部ルーバー（桟）の角度を目的に応じて調整する。日差し、通気を取り込むときは、ルーバー角度を縦に（ルーバー同士に空間があくように）調整し、日差し、降雨を遮蔽したいときは、ルーバー角度を横に（ルーバー同士に空間があかないように）調整する。（図面１〜８）
本考案は、以上の構成よりなる、全天候対応型屋根部を含む休憩施設である。
【考案を実施するための最良の形態】
【０００５】本案は、
１  風雨等の浸入を防ぐため、主要構造部であるルーバーの形状を遮蔽時に隙間を最小限にとどめ、かつ雨漏りが、し難いように返しをつけた断面形状にする。（図４の符号１）
２  円滑および迅速にルーバーの開閉を行うためにギアーとチェーン、ワイヤー等を組み合わせた構造にする。（図４の符号２，図５の符号３）
設営方法を下記に記す。
なお、本考案の実施に当たって次の如きことができる。【０００６】イ  風雨、冷気を凌ぎたい時は、屋根部ルーバーを閉じることによって、最適な環境を作ることができる。
ロ  木漏れ日、通気を入れたい時は、屋根部ルーバーを開放することによって、最適な環境を作ることができる。
【考案の効果】
【０００７】したがって、季節や天候に応じて、休憩施設内で良好な環境を作ることができる。
【図面の簡単な説明】
【０００８】
【図１】本考案の立面図
【図２】本考案の断面図
【図３】本考案の平面図
【図４】本考案の実施例を示す断面図（開放時）
【図５】本考案の実施例を示す断面図（システム）
【図６】本考案の実施例を示す断面図（閉鎖時）
【図７】本考案の実施例を示す斜視図（開放時）
【図８】本考案の実施例を示す斜視図（閉鎖時）
【図９】従来の雨等の浸入を防ぐ目的を持たない休憩施設の斜視図
【図１０】従来の完全に屋根をかけた休憩施設の斜視図
【図１１】従来の雨等の浸入を防ぐ目的を持たない休憩施設の平面図
【図１２】従来の雨等の浸入を防ぐ目的を持たない休憩施設の立面図
【図１３】従来の完全に屋根をかけた休憩施設の平面図
【図１４】従来の完全に屋根をかけた休憩施設の立面図
【図１５】従来の完全に屋根をかけた休憩施設の立面図
【図１６】従来の雨等の浸入を防ぐ目的を持たない休憩施設で屋根部テント設営前の斜視図
【図１７】従来の雨等の浸入を防ぐ目的を持たない休憩施設で屋根部テント設営後の斜視図
【図１８】従来の雨等の浸入を防ぐ目的を持たない休憩施設で屋根部テント設営作業中の斜視図
【図１９】従来の雨等の浸入を防ぐ目的を持たない休憩施設で屋根部テント設営作業中の斜視図
【図２０】従来の雨等の浸入を防ぐ目的を持たない休憩施設で屋根部テント設営作業中の斜視図
【図２１】従来の雨等の浸入を防ぐ目的を持たない休憩施設でロール状テント設営後の斜視図
【図２２】従来の雨等の浸入を防ぐ目的を持たない休憩施設でロール状テント設営後の斜視図
【符号の説明】
【０００９】１  風雨等の浸入を防ぐため、遮蔽時に隙間を最小限にとどめ、かつ雨漏りが、し難いように返しをつけた断面形状のルーバー。
２  ルーバーの開閉を行うためのフラットバー、チェーン、ワイヤー等への駆動部となるギアー。
３  ギアーからの動力をルーバーに伝えるフラットバー、チェーン、ワイヤー等。
４  屋根部のルーバーを開閉することによって、全天候対応とした機能性。